(57)【要約】【課題】元竿を含めた竿杆および釣糸ガイドを一度に安定的に保持して、振出式の釣竿全体の多面的且つ効率的な保護を図ることができる釣竿収納ケースを提供することを目的とする。【解決手段】本発明の釣竿収納ケース１は、釣糸ガイド５５ａ，５５ｂ，５５ｃが付設された振出式釣竿５０をその元竿５１内に中竿５２および穂先竿５３を含む複数の竿杆が完全に収容された完全収容状態で全体的に収納して保持するための収納空間Ｓを形成する開閉自在なケース本体４と、ケース本体４の内側に設けられ、収納空間Ｓに収納された完全収容状態の振出式釣竿５０の釣糸ガイド５５ａ，５５ｂ，５５ｃを一括して保持する保持部５５とを有する。【選択図】図１
2013153672.tif 000002
【特許請求の範囲】
【請求項１】
釣糸ガイド付きの振出式釣竿をその元竿内に中竿および穂先竿を含む複数の竿杆が完全に収容された完全収容状態で全体的に収納して保持するための収納空間を形成する開閉自在なケース本体と、
前記ケース本体の内側に設けられ、前記収納空間に収納された完全収容状態の前記振出式釣竿の釣糸ガイドを一括して保持する保持部と、
を有することを特徴とする釣竿収納ケース。
【請求項２】
前記保持部は、前記収納空間に収納された完全収容状態の前記振出式釣竿の少なくとも元竿の釣糸ガイドおよび中竿の釣糸ガイドを一括して保持する第１の保持部材と、前記収納空間に収納された完全収容状態の前記振出式釣竿の少なくとも穂先竿の釣糸ガイドを一括して保持する第２の保持部材とを有することを特徴とする請求項１に記載の釣竿収納ケース。
【請求項３】
前記保持部は、前記ケース本体が完全に閉じられた状態で釣糸ガイドを挟持することを特徴とする請求項１または請求項２に記載の釣竿収納ケース。
【請求項４】
前記保持部が前記ケース本体の内面に固着された柔軟部材から成ることを特徴とする請求項１ないし請求項３のいずれか１項に記載の釣竿収納ケース。
【請求項５】
前記第１の保持部材上に前記第２の保持部材が配置されることを特徴とする請求項２に記載の釣竿収納ケース。
【請求項６】
前記ケース本体の内側に設けられ、前記収納空間に収納される前記振出式釣竿の元竿を前記ケース本体の内面に対して係止させるための係止部材を更に備えることを特徴とする請求項１ないし請求項５のいずれか１項に記載の釣竿収納ケース。
【請求項７】
前記ケース本体の前記収納空間を外部に対して開閉するための開閉手段を更に備え、該開閉手段は、前記収納空間のほぼ全体を外部に対して開放できることを特徴とする請求項１ないし請求項６のいずれか１項に記載の釣竿収納ケース。
【発明の詳細な説明】
【技術分野】
【０００１】
本発明は、釣竿収納ケースに関し、特に、釣糸ガイドを備えた振出式の釣竿を安定的に保持して収納するための改良された釣竿収納ケースに関する。
【背景技術】
【０００２】
一般に、リールを装着できるリールシートを備えた釣竿には、リールから繰り出される釣糸を挿通してガイドするための釣糸ガイドが各竿杆に設けられているが、元竿内に竿杆（中竿や穂先竿）を伸縮可能に収容できる振出式の釣竿では、通常、各竿杆が元竿内に完全に収容されると、各竿杆に設けられた釣糸ガイド（移動式および固定式の釣糸ガイド）が元竿の前方側に集められるようになっている。
【０００３】
そして、このような振出式の釣竿においては、竿杆を元竿内に完全に収容した状態で元竿の前方側に集められる釣糸ガイド群を固定状態に保持しつつ保護するキャップ状のガイドカバーが従来から知られている（例えば、特許文献１および特許文献２参照）。一方、このような振出式の釣竿を含む各種の釣竿を全体的に収納できる釣竿収納ケースも従来から数多く知られている（例えば、特許文献３および特許文献４参照）。
【先行技術文献】
【特許文献】
【０００４】
【特許文献１】実開昭５８−１３７０６９号
【特許文献２】実開平１−１７２３６８号
【特許文献３】特開平１１−１１３４６９号
【特許文献４】特開２００４−３４４０１７号
【発明の概要】
【発明が解決しようとする課題】
【０００５】
ところで、振出式の釣竿全体の多面的且つ効率的な保護という観点からすれば、元竿を含めた竿杆および釣糸ガイドを一度に安定的に保持できることが望ましいが、前述した従来のガイドカバーは、釣糸ガイドを保持して保護するだけであり、釣竿全体を保持して保護することはできない。一方、前述した従来の釣竿収納ケースは、釣竿全体を収納して保護できるが、釣糸ガイドを個別に保持して保護することはできず、したがって、例えばガイドカバーを釣竿に取り付けた状態で該釣竿を釣竿収納ケース内に収納しなければ、釣竿の多面的な保護を図ることができない。
【０００６】
本発明は、前記事情に着目してなされたものであり、その目的とするところは、元竿を含めた竿杆および釣糸ガイドを一度に安定的に保持して、振出式の釣竿全体の多面的且つ効率的な保護を図ることができる釣竿収納ケースを提供することにある。
【課題を解決するための手段】
【０００７】
前記課題を解決するために、請求項１に記載の釣竿収納ケースは、釣糸ガイド付きの振出式釣竿をその元竿内に中竿および穂先竿を含む複数の竿杆が完全に収容された完全収容状態で全体的に収納して保持するための収納空間を形成する開閉自在なケース本体と、前記ケース本体の内側に設けられ、前記収納空間に収納された完全収容状態の前記振出式釣竿の釣糸ガイドを一括して保持する保持部とを有することを特徴とする。
【０００８】
この請求項１に記載の釣竿収納ケースによれば、ケース本体の収納空間内で釣糸ガイド付きの振出式釣竿を全体的に保持して収納できるとともに、収納空間内に設けられる保持部により完全収容状態の振出式釣竿の釣糸ガイドを一括して保持できるため、すなわち、元竿を含めた竿杆および釣糸ガイドを一度に安定的に保持できるため、振出式釣竿全体の多面的且つ効率的な保護を図ることができる。ここで、「振出式釣竿」とは、釣人によって把持される手元側の元竿内にその他の竿杆（中竿や穂先竿）を伸縮可能に収容できるともに、使用時には元竿から各竿杆を振り出して伸長させる方式の釣竿のことである。また、「完全収容状態」とは、各竿杆が元竿内に完全に収容されて各竿杆に設けられた釣糸ガイド（移動式および固定式の釣糸ガイド）が元竿の前方側に集約された状態のことである。
【０００９】
また、請求項２に記載の釣竿収納ケースは、請求項１に記載の釣竿収納ケースにおいて、前記保持部は、前記収納空間に収納された完全収容状態の前記振出式釣竿の少なくとも元竿の釣糸ガイドおよび中竿の釣糸ガイドを一括して保持する第１の保持部材と、前記収納空間に収納された完全収容状態の前記振出式釣竿の少なくとも穂先竿の釣糸ガイドを一括して保持する第２の保持部材とを有することを特徴とする。
【００１０】
この請求項２に記載の釣竿収納ケースによれば、請求項１に記載の釣竿収納ケースと同様の作用効果が得られるとともに、保持部が役目の異なる別個の第１および第２の保持部材を有するため、釣糸ガイドの大きさ等に合わせた適切な保持を行なうことが可能になる。
【００１１】
また、請求項３に記載の釣竿収納ケースは、請求項１または請求項２に記載の釣竿収納ケースにおいて、前記保持部は、前記ケース本体が完全に閉じられた状態で釣糸ガイドを挟持することを特徴とする。
【００１２】
この請求項３に記載の釣竿収納ケースによれば、請求項１または請求項２に記載の釣竿収納ケースと同様の作用効果が得られるとともに、ケース本体が完全に閉じられた状態で保持部が釣糸ガイドを挟持するようになっているため、ケースを閉じるという通常の１回の収納操作で釣糸ガイドを一度に強固に保持することができる。
【００１３】
また、請求項４に記載の釣竿収納ケースは、請求項１ないし請求項３のいずれか１項に記載の釣竿収納ケースにおいて、前記保持部が前記ケース本体の内面に固着された柔軟部材から成ることを特徴とする。
【００１４】
この請求項４に記載の釣竿収納ケースによれば、請求項１ないし請求項３のいずれか１項に記載の釣竿収納ケースと同様の作用効果が得られるとともに、保持部が柔軟部材から成るため、釣糸ガイドを弾力的に保持することができ、衝撃に対して強いガイド保護を実現できる。
【００１５】
また、請求項５に記載の釣竿収納ケースは、請求項２に記載の釣竿収納ケースにおいて、前記第１の保持部材上に前記第２の保持部材が配置されることを特徴とする。
【００１６】
この請求項５に記載の釣竿収納ケースによれば、請求項２に記載の釣竿収納ケースと同様の作用効果が得られるとともに、第１の保持部材上に第２の保持部材が配置されるようになっているため、保持部材の厚さ等の寸法を変えなくても、釣糸ガイドの直径に応じた段階的な保持を行なうことが可能になる。
【００１７】
また、請求項６に記載の釣竿収納ケースは、請求項１ないし請求項５のいずれか１項に記載の釣竿収納ケースにおいて、前記ケース本体の内側に設けられ、前記収納空間に収納される前記振出式釣竿の元竿を前記ケース本体の内面に対して係止させるための係止部材を更に備えることを特徴とする。
【００１８】
この請求項６に記載の釣竿収納ケースによれば、請求項１ないし請求項５のいずれか１項に記載の釣竿収納ケースと同様の作用効果が得られるとともに、元竿をケース本体の内面に対して係止させるための係止部材を更に備えるため、元竿を安定的に保持できるだけでなく、カバー本体内での元竿の穂先側竿杆への衝突も防止でき、それに伴う穂先竿および釣竿ガイドの破損を回避できる。
【００１９】
また、請求項７に記載の釣竿収納ケースは、請求項１ないし請求項６のいずれか１項に記載の釣竿収納ケースにおいて、前記ケース本体の前記収納空間を外部に対して開閉するための開閉手段を更に備え、該開閉手段は、前記収納空間のほぼ全体を外部に対して開放できることを特徴とする。
【００２０】
この請求項７に記載の釣竿収納ケースによれば、請求項１ないし請求項６のいずれか１項に記載の釣竿収納ケースと同様の作用効果が得られるとともに、収納空間を開閉する開閉手段が収納空間のほぼ全体を外部に対して開放できるため、収納空間に対する釣竿の出し入れが容易になる。
【発明の効果】
【００２１】
本発明によれば、元竿を含めた竿杆および釣糸ガイドを一度に安定的に保持して、振出式の釣竿全体の多面的且つ効率的な保護を図ることができる釣竿収納ケースを提供することができる。
【図面の簡単な説明】
【００２２】
【図１】本発明の一実施形態に係る釣竿収納ケース内に振出式釣竿を収納した状態を示す開放状態の斜視図である。
【図２】図１の釣竿収納ケースの閉塞状態の斜視図である。
【図３】振出式釣竿の穂先側を釣竿収納ケースの収納空間の釣糸ガイド保持部側に収納しようとする状態を示す要部拡大斜視図である。
【図４】振出式釣竿の穂先側を釣糸ガイド保持部に載置した状態を示す要部拡大斜視図である。
【図５】図４の状態から係止部材によって元竿を保持した状態を示す要部拡大斜視図である。
【図６】変形例に係る釣竿収納ケースの斜視図である。
【発明を実施するための形態】
【００２３】
以下、本発明に係る釣竿収納ケースの一実施形態について具体的に説明する。  
図１および図２には、本発明の一実施形態に係る釣竿収納ケース１が示されている。図１は、釣竿収納ケース１内に振出式釣竿５０を収納した状態を示す開放状態の斜視図であり、図２は、釣竿収納ケース１の閉塞状態の斜視図である。
【００２４】
図示のように、釣竿収納ケース１は、リールを装着できるリールシート部５９を備え且つ釣糸ガイド５５（５５ａ，５５ｂ，５５ｃ）が付設された振出式釣竿５０をその元竿５１内に中竿５２および穂先竿５３を含む複数の竿杆が完全に収容された完全収容状態で全体的に収納して保持する（本実施形態では、図１に示されるように１本の振出式釣竿５０を収納して保持する）ための収納空間Ｓを形成する開閉自在なケース本体４を有する。ケース本体４は、ナイロン等の素材により袋状に形成されており、図１に示されるようにその開口部の両側の周縁に付設されたファスナ９によって収納空間Ｓのほぼ全体を外部に対して開放できるようになっている。ここで、ファスナ９は、ケース本体４の収納空間Ｓを外部に対して開閉するための開閉手段を構成する。また、収納空間Ｓは、元竿５１を収納するための長尺な長尺空間部Ｓ１と、長尺空間部Ｓ１よりも拡大され且つ穂先竿５３側（釣糸ガイド５５側）を収納するための先端側に位置する拡大空間部Ｓ２とから成る。
【００２５】
また、ケース本体４の内側（収納空間Ｓ内）には、拡大空間部Ｓ２に位置して、収納空間Ｓに収納された完全収容状態の振出式釣竿５０の釣糸ガイド５５（５５ａ，５５ｂ，５５ｃ）を一括して保持する保持部５が設けられる。この場合、保持部５は、収納空間Ｓに収納された完全収容状態の振出式釣竿５０の少なくとも元竿５１の釣糸ガイド５５ａおよび中竿５２の釣糸ガイド５５ｃを一括して保持する第１の保持部材５Ａと、収納空間Ｓに収納された完全収容状態の振出式釣竿５０の少なくとも穂先竿５３の釣糸ガイド５５ｂ（本実施形態では、一部の中竿５２の釣糸ガイド５５ｃおよび穂先竿５３の釣糸ガイド５５ｂ）を一括して保持する第２の保持部材５Ｂとから成る。第１の保持部材５Ａは、ケース本体４の内面に固着されており、また、第２の保持部材５Ｂは、第１の保持部材５Ａよりも小さく形成され、本実施形態では第１の保持部材５Ａ上に固着して配置される。
【００２６】
ここで、保持部５を構成する第１および第２の保持部材５Ａ，５Ｂはいずれも、ポリウレタン等の柔軟な材料（緩衝材料）によって例えばスポンジ状に形成されており、ケース本体４が完全に閉じられた状態（図２の状態）で対応する釣糸ガイド５５（５５ａ，５５ｂ，５５ｃ）を両側から挟持するようになっている。
【００２７】
また、ケース本体４の内側には、保持部５に隣接して、収納空間Ｓに収納される振出式釣竿５０の元竿５１をケース本体４の内面に対して係止させるための係止部材３が設けられている。係止部材３はその一端がケース本体４の内面に取着されている。また、係止部材３の他端は、ケース本体４の内面に固着された柔軟基体７（例えば保持部材５と同一素材）の一端の被係止部７ａ（図４参照）と係脱自在に係止するようになっている。本実施形態では、このような係脱が面ファスナ（例えばベルクロ（登録商標））を用いて行なわれるようになっている。すなわち、係止部材３の他端３ａ（図４参照）が例えばフック面として形成され、柔軟基体７の被係止部７ａがループ面として形成され、フック／ループ結合によって係脱可能となっている。
【００２８】
このような構成の釣竿収納ケース１内に振出式釣竿５０を収納する場合には、まず、ファスナ９を介して収納空間Ｓを外部に開放させた状態で、元竿５１内に中竿５２および穂先竿５３を完全に収容した完全収容状態（釣糸ガイド５５（移動式および固定式）が元竿５１の前方側に集約された状態）の振出式釣竿５０を収納空間Ｓ内に導入する（図３参照）。このとき、図４に示されるように、係止部材３の他端３ａを柔軟基体７の被係止部７ａから離脱させた状態で完全収容状態の振出式釣竿５０の先端側（釣糸ガイド５５側）を保持部５上に載置する。図４の状態では、元竿５１の釣糸ガイド５５ａおよび一部の基端側の中竿５２の釣糸ガイド５５ｃが第１の保持部材５Ａによって一括保持され、一部の先端側の中竿５２の釣糸ガイド５５ｃおよび穂先竿５３の釣糸ガイド５５ｂが第２の保持部材５Ｂによって一括保持される。そして、この状態で、図５に示されるように、係止部材３の他端３ａを柔軟基体７の被係止部７ａに係止させて、元竿５１をケース本体４に対して保持させる。その後、ファスナ９を閉めてケース本体４を完全に閉じると（図２の状態）、第１および第２の保持部材５Ａ，５Ｂによって釣糸ガイド５５（５５ａ，５５ｂ，５５ｃ）が両側から挟持される。
【００２９】
以上説明したように、本実施形態の釣竿収納ケース１によれば、ケース本体４の収納空間Ｓ内で釣糸ガイド５５付きの振出式釣竿５０を全体的に保持して収納できるとともに、収納空間Ｓ内に設けられる保持部５により完全収容状態の振出式釣竿５０の釣糸ガイド５５を一括して保持できるため、すなわち、元竿５１を含めた竿杆５２，５３および釣糸ガイド５５（５５ａ，５５ｂ，５５ｃ）を一度に安定的に保持できるため、振出式釣竿５０全体の多面的且つ効率的な保護を図ることができる。
【００３０】
また、本実施形態の釣竿収納ケース１によれば、保持部５が役目の異なる別個の第１および第２の保持部材５Ａ，５Ｂを有するため、釣糸ガイド５５の大きさ等に合わせた適切な保持を行なうことが可能になる。また、本実施形態の釣竿収納ケース１によれば、ケース本体４が完全に閉じられた状態で保持部５が釣糸ガイド５５を挟持するようになっているため、ケース１を閉じるという通常の１回の収納操作で釣糸ガイド５５を一度に強固に保持することができる。更に、本実施形態の釣竿収納ケース１によれば、保持部５が柔軟部材から成るため、釣糸ガイド５５を弾力的に保持することができ、衝撃に対して強いガイド保護を実現できる。
【００３１】
また、本実施形態の竿収納ケース１によれば、第１の保持部材５Ａ上に第２の保持部材５Ｂが配置されるようになっているため、保持部材の厚さ等の寸法を変えなくても、釣糸ガイド５５の直径に応じた段階的な保持を行なうことが可能になる。また、本実施形態の釣竿収納ケース１によれば、元竿５１をケース本体４の内面に対して係止させるための係止部材３を更に備えるため、元竿５１を安定的に保持できるだけでなく、カバー本体４内での元竿５１の穂先側竿杆への衝突も防止でき、それに伴う穂先竿５３および釣竿ガイド５５の破損を回避できる。更に、本実施形態の釣竿収納ケース１によれば、収納空間Ｓを開閉する開閉手段９が収納空間Ｓのほぼ全体を外部に対して開放できるため、収納空間Ｓに対する釣竿５０の出し入れが容易になる。
【００３２】
図６は前述した実施形態の変形例を示している。図示のように、この変形例に係る釣竿収納ケース１Ａの保持部は、柔軟部材から成るスポンジ状の保持部材５Ａ，５Ｂに代えて、樹脂成型品から成る従来のガイドカバーに似た開閉自在な保持体５’から構成される。この保持体５’は、元竿５１の前方に集約された一群の釣糸ガイド５５の全体外形に適合する形状を協働して形作り或いは一群の釣糸ガイド５５を協働して完全に覆うことができる互いに蝶着（あるいは関節結合）された２つの半体４０，４２によって構成され、半体４０，４２の境界部４３を折り目として折り畳んでベルト４４で締結することにより釣糸ガイド５５を保持して保護できるようになっている。また、保持体５’は、ケース本体４とは独立して一群の釣糸ガイド５５を覆うことができてもよく、あるいは、ファスナ９を閉めてケース本体４を閉じる操作に伴って一群の釣糸ガイド５５を覆うようになっていてもよい。なお、それ以外の構成は前述した実施形態と同様である。このような構成においても、前述した実施形態と同様の作用効果を得ることができる。
【００３３】
以上、本発明の実施形態について説明したが、本発明は、前述した実施形態に限定されず、その要旨を逸脱しない範囲で種々変形して実施できる。例えば、前述した実施形態では、釣竿収納ケース１が１本の振出式釣竿５０を収納するようになっているが、収納して保持する振出式釣竿５０の数は限定されない。釣竿収納ケース１が複数本の振出式釣竿５０を収納できるようになっていてもよい。その場合には、釣竿５０の本数に対応して保持部５および係止部材３が設けられる（したがって、保持部５および係止部材３の数も１つに限定されない）。また、保持部材同士の配置形態も上下に限らず任意である。
【符号の説明】
【００３４】
１，１Ａ  釣竿収納ケース
３  係止部材
４  ケース本体
５，５’  保持部
５Ａ  第１の保持部材
５Ｂ  第２の保持部材
９  ファスナ（開閉手段）
５０  振出式釣竿
５１  元竿
５２  中竿
５３  穂先竿
５５ａ，５５ｂ，５５ｃ  釣糸ガイド
Ｓ  収納空間
【図１】
2013153672.tif 000003
【図２】
2013153672.tif 000004
【図３】
2013153672.tif 000005
【図４】
2013153672.tif 000006
【図５】
2013153672.tif 000007
【図６】
2013153672.tif 000008